(57)【要約】【課題】  調整作業を効率よく行うことができる電源分離型ブースタを提供する。【解決手段】操作に応じて生成された減衰量および利得を指示する制御信号を直流電源に重畳させて出力する電源部１２と、電源部からケーブル３を介して供給される直流電源で動作し、該直流電源に重畳された制御信号に応じてアンテナで受信された信号の減衰量および利得を周波数帯域毎に調整する増幅部１１とを備えている。また、操作に応じて減衰量および利得を指示する制御信号を生成するリモコン操作部１３ａと、直流電源を発生して出力する電源部と、電源部からケーブルを介して供給される直流電源によって動作し、リモコン操作部から前記ケーブルに接続された他のケーブルおよびケーブルを介して送られてくる制御信号に応じてアンテナで受信された信号の減衰量および利得を調整する増幅部とを備えている。【選択図】    図２
2008099128.tif 000002
【特許請求の範囲】
【請求項１】
操作に応じて生成された減衰量および利得を指示する制御信号を直流電源に重畳させて出力する電源部と、
前記電源部からケーブルを介して供給される直流電源で動作し、該直流電源に重畳された制御信号に応じてアンテナで受信された信号の減衰量および利得を周波数帯域毎に調整する増幅部、
とを備えたことを特徴とする電源分離型ブースタ。
【請求項２】
前記電源部は、
直流電源を発生する直流電源部と、
操作によって、減衰量および利得を指示する操作部と、
前記操作部から指示された減衰量および利得に応じた制御信号を生成する送信制御部と、
前記直流電源部からの直流電源に、前記送信制御部からの制御信号に応じたパルス変調を施して出力する変調部とを備え、
前記増幅部は、
アンテナで受信された信号の減衰量を周波数帯域毎に制御する減衰器と、
前記アンテナで受信された信号の利得を周波数帯域毎に調整する利得制御器と、
前記電源部から前記ケーブルを介して供給される直流電源に重畳されている制御信号を検出する信号検出器と、
前記信号検出器で検出された制御信号に基づき、前記減衰器の減衰量の制御および前記利得制御器の利得の調整を行う受信制御部、
とを備えたことを特徴とする請求項１記載の電源分離型ブースタ。
【請求項３】
操作に応じて、減衰量および利得を指示する制御信号を生成するリモコン操作部と、
直流電源を発生して出力する電源部と、
前記電源部からケーブルを介して供給される直流電源によって動作し、前記リモコン操作部から前記ケーブルに接続された他のケーブルおよび前記ケーブルを介して送られてくる制御信号に応じてアンテナで受信された信号の減衰量および利得を周波数帯域毎に調整する増幅部、
とを備えたことを特徴とする電源分離型ブースタ。
【請求項４】
前記リモコン操作部は、
高周波信号を発生する高周波発振部と、
操作によって、減衰量および利得を指示する操作子と、
前記操作子によって指示された減衰量および利得に応じた制御信号を生成する送信制御部と、
前記高周波発振部で発生された高周波信号に、前記送信制御部からの制御信号に応じたパルス変調を施して出力する変調部とを備え、
前記増幅部は、
アンテナで受信された信号の減衰量を周波数帯域毎に制御する減衰器と、
前記アンテナで受信された信号の利得を周波数帯域毎に調整する利得制御器と、
前記リモコン操作部から前記他のケーブルおよび前記ケーブルを介して送られてくる制御信号を検出する信号検出器と、
前記信号検出器で検出された制御信号に基づき、前記減衰器の減衰量の制御および前記利得制御器の利得の調整を行う受信制御部、
とを備えたことを特徴とする請求項３記載の電源分離型ブースタ。
【請求項５】
前記リモコン操作部は、
高周波信号を発生する高周波発振部と、
調整対象とする増幅部に付されたアドレスを設定するアドレス設定部と、
操作によって、減衰量および利得を指示する操作部と、
前記アドレス設定部で設定されたアドレスならびに前記操作部から指示された減衰量および利得に応じた制御信号を生成する送信制御部と、
前記高周波発振部からの高周波信号に、前記送信制御部からの制御信号に応じたパルス変調を施して出力する変調部とを備え、
前記増幅部は、
アンテナで受信された信号の減衰量を周波数帯域毎に制御する減衰器と、
前記アンテナで受信された信号の利得を周波数帯域毎に調整する利得制御器と、
前記リモコン操作部から前記他のケーブルおよび前記ケーブルを介して送られてくる制御信号を検出する信号検出器と、
自己に付与されたアドレスを保持するアドレス保持部と、
前記変調部から前記他のケーブルおよび前記ケーブルを介して送られてくる制御信号に含まれるアドレスが前記アドレス保持部に保持されているアドレスに一致する場合に、前記信号検出器で検出された制御信号に基づき、前記減衰器の減衰量の制御および前記利得制御器の利得の調整を行う受信制御部、
とを備えたことを特徴とする請求項３記載の電源分離型ブースタ。
【発明の詳細な説明】
【技術分野】
【０００１】
本発明は、アンテナで受信された信号を増幅する増幅部とこの増幅部に電源を供給する電源部とが分離されている電源分離型ブースタに関し、特に、増幅部における利得や減衰量の調整する技術に関する。
【背景技術】
【０００２】
図１０は、従来の電源分離型ブースタが適用された受信システムの構成を示す図である。この受信システムに適用された電源分離型ブースタは、主に屋根に設置されたアンテナの近傍に取り付けられる増幅部１と、屋内に取り付けられる電源部２とから構成されており、増幅部１と電源部２との間は、ケーブル３によって接続されている。ケーブル３および以下で説明する各ケーブルとしては、例えば同軸ケーブルが使用される。
【０００３】
増幅部１は、ＶＨＦアンテナ４、ＵＨＦアンテナ５およびＢＳ・１１０°ＣＳアンテナ６で電波を受信することにより発生された微弱な信号を増幅し、受信信号としてケーブル３を介して電源部２に送る。この増幅部１の詳細は図示を省略するが、増幅部１に含まれる利得制御器の利得の調整は、例えばボリュームを操作することにより行われ、減衰器の減衰量の設定は、例えば切り換えスイッチを切り換えることにより行われる。
【０００４】
電源部２は、ケーブル３を電源送電ラインとして利用して、増幅部１に直流電源を供給するとともに、増幅部１から送られてきた受信信号を中継し、ケーブル７を用いて分配器８に送る。分配器８は、増幅部１からケーブル３、電源部２およびケーブル７を経由して送られてきた受信信号を、ケーブル９を用いて、複数の部屋にそれぞれ設けられた複数のテレビジョン受像器（以下、「ＴＶ」と略する）コンセント１０に分配する。
【０００５】
図１１は、従来の電源分離型ブースタが適用された他の受信システムの構成を示す図である。この受信システムに適用された電源分離型ブースタは、主に屋根に設置されたアンテナの近傍に取り付けられる増幅部１と、屋内に取り付けられる電源部２とから構成されている。電源部２は、増幅部１からケーブル３、分配器８およびケーブル９を経由して接続されているＴＶコンセント１０に接続される。この場合、分配器８としては、入出力端子間で電流を通過させることができる電通型の分配器が使用される。
【０００６】
増幅部１は、ＶＨＦアンテナ４、ＵＨＦアンテナ５およびＢＳ・１１０°ＣＳアンテナ６で電波を受信することにより発生された微弱な信号を増幅し、受信信号としてケーブル３を介して分配器８に送る。この増幅部１の詳細は図示を省略するが、増幅部１に含まれる利得制御器の利得の調整は、例えばボリュームを操作することにより行われ、減衰器の減衰量の設定は、例えば切り換えスイッチの切り換えにより行われる。
【０００７】
分配器８は、増幅部１からケーブル３を介して送られてきた受信信号を、ケーブル９を介して複数のＴＶコンセント１０に分配する。電源部２は、ケーブル９、分配器８およびケーブル３を電源送電ラインとして利用して、増幅部１に直流電源を供給する。
【０００８】
なお、ブースタに関連する技術として、例えば、特許文献１は、電源装置からＣＳ（通信衛星）アンテナに至る直流電流通過経路での電圧降下分を補償して、ＣＳアンテナの偏波切換を確実に行えるようにした「衛星受信システム、電源装置、および受信信号増幅器」が知られている。この特許文献１に開示された技術は、ＣＳアンテナからの受信信号を、ブースタにて増幅すると共に他のアンテナからの受信信号と混合し、更に４分配器で分配して端末に伝送するようにした受信システムにおいて、分配器とブースタは端末側からの電圧信号をＣＳアンテナ側に伝送可能で、さらにブースタは、自己と他のアンテナとの間の伝送経路上の機器への電源供給用電圧（１５Ｖ）を端末側からの電圧信号から生成し出力する。そして、分配器よりも端末側の電源装置は、ＣＳチューナからの偏波切換信号の電圧（１１Ｖまたは１５Ｖ）より所定電圧Ｖｄだけ高く且つＣＳアンテナおよび上記機器に電源供給可能な電圧信号を生成してＣＳアンテナ側に出力する。
【０００９】
【特許文献１】特開２００１−１１９３１４号公報
【発明の開示】
【発明が解決しようとする課題】
【００１０】
上述した従来の電源分離型ブースタにおいては、ＴＶに入力される信号を適切なレベルにするための利得や減衰量の調整などを行う際は、屋根などに設置されている増幅部１の利得制御器のボリュームや減衰器の切り換えスイッチを直接に操作するとともに、室内に設置されたＴＶや測定器を用いて、電源部２の出力端子やＴＶコンセント１０の信号レベルを確認する必要がある。そのため、複数人で連絡をとりながら（１人は屋根、他の１人は室内など）調整作業を行ったり、または、１人が屋根と室内を行き来して調整作業を行う必要があり、作業効率が悪いという問題がある。
【００１１】
また、集合住宅や受信点が離れた場所に存在する場合の受信システムでは複数台のブースタが使用されており、しかも、各ブースタの設置場所が離れている場合が多い。このような場合であっても、利得や減衰量などの調整をブースタ毎に行う必要があるため、上述した場合と同様に、複数人で連絡をとりながら調整作業を行ったり、または、１人が屋根と室内を行き来して調整作業を行う必要があり、作業効率が悪いという問題がある。
【００１２】
したがって、本発明は上述した問題を解消するためになされたものであり、その課題は、調整作業を効率よく行うことができる電源分離型ブースタを提供することにある。
【課題を解決するための手段】
【００１３】
上記課題を解決する手段として、請求項１記載の発明の電源分離型ブースタは、操作に応じて生成された減衰量および利得を指示する制御信号を直流電源に重畳させて出力する電源部と、前記電源部からケーブルを介して供給される直流電源で動作し、該直流電源に重畳された制御信号に応じてアンテナで受信された信号の減衰量および利得を周波数帯域毎に調整する増幅部、とを備えたことを特徴とする。
【００１４】
請求項２記載の発明の電源分離型ブースタは、前記電源部が、直流電源を発生する直流電源部と、操作によって、減衰量および利得を指示する操作部と、前記操作部から指示された減衰量および利得に応じた制御信号を生成する送信制御部と、前記直流電源部からの直流電源に、前記送信制御部からの制御信号に応じたパルス変調を施して出力する変調部とを備え、前記増幅部は、アンテナで受信された信号の減衰量を周波数帯域毎に制御する減衰器と、前記アンテナで受信された信号の利得を周波数帯域毎に調整する利得制御器と、前記電源部から前記ケーブルを介して供給される直流電源に重畳されている制御信号を検出する信号検出器と、前記信号検出器で検出された制御信号に基づき、前記減衰器の減衰量の制御および前記利得制御器の利得の調整を行う受信制御部、とを備えたことを特徴とする。
【００１５】
請求項３記載の発明の電源分離型ブースタは、操作に応じて、減衰量および利得を指示する制御信号を生成するリモコン操作部と、直流電源を発生して出力する電源部と、前記電源部からケーブルを介して供給される直流電源によって動作し、前記リモコン操作部から前記ケーブルに接続された他のケーブルおよび前記ケーブルを介して送られてくる制御信号に応じてアンテナで受信された信号の減衰量および利得を周波数帯域毎に調整する増幅部、とを備えたことを特徴とする。
【００１６】
請求項４記載の発明の電源分離型ブースタは、前記リモコン操作部が、  高周波信号を発生する高周波発振部と、操作によって、減衰量および利得を指示する操作子と、前記操作子によって指示された減衰量および利得に応じた制御信号を生成する送信制御部と、前記高周波発振部で発生された高周波信号に、前記送信制御部からの制御信号に応じたパルス変調を施して出力する変調部とを備え、前記増幅部は、アンテナで受信された信号の減衰量を周波数帯域毎に制御する減衰器と、前記アンテナで受信された信号の利得を周波数帯域毎に調整する利得制御器と、前記リモコン操作部から前記他のケーブルおよび前記ケーブルを介して送られてくる制御信号を検出する信号検出器と、前記信号検出器で検出された制御信号に基づき、前記減衰器の減衰量の制御および前記利得制御器の利得の調整を行う受信制御部、とを備えたことを特徴とする。
【００１７】
請求項５記載の発明の電源分離型ブースタは、前記リモコン操作部が、  高周波信号を発生する高周波発振部と、調整対象とする増幅部に付されたアドレスを設定するアドレス設定部と、操作によって、減衰量および利得を指示する操作部と、前記アドレス設定部で設定されたアドレスならびに前記操作部から指示された減衰量および利得に応じた制御信号を生成する送信制御部と、前記高周波発振部からの高周波信号に、前記送信制御部からの制御信号に応じたパルス変調を施して出力する変調部とを備え、前記増幅部は、アンテナで受信された信号の減衰量を周波数帯域毎に制御する減衰器と、前記アンテナで受信された信号の利得を周波数帯域毎に調整する利得制御器と、前記リモコン操作部から前記他のケーブルおよび前記ケーブルを介して送られてくる制御信号を検出する信号検出器と、自己に付与されたアドレスを保持するアドレス保持部と、前記変調部から前記他のケーブルおよび前記ケーブルを介して送られてくる制御信号に含まれるアドレスが前記アドレス保持部に保持されているアドレスに一致する場合に、前記信号検出器で検出された制御信号に基づき、前記減衰器の減衰量の制御および前記利得制御器の利得の調整を行う受信制御部、とを備えたことを特徴とする。
【発明の効果】
【００１８】
本発明の電源分離型ブースタによれば、例えば屋内に設置される電源部を操作することによりリモートコントロールで、例えば屋根などに設置される増幅部における減衰量および利得の調整が可能になるので、減衰量および利得の調整および確認を屋内で行うことができる。その結果、複数人での作業や屋根と屋内を行き来するなどの作業が不要になり、作業効率が向上する。
【００１９】
また、例えば屋内に電源部とは別体に設置されるリモコン操作部を操作することによりリモートコントロールで、例えば屋根などに設置される増幅部における減衰量および利得の調整が可能になるので、減衰量および利得の調整および確認を屋内で行うことができる。その結果、複数人での作業や屋根と屋内を行き来するなどの作業が不要になり、作業効率が向上する。
【発明を実施するための最良の形態】
【００２０】
以下、本発明の実施の形態を、図面を参照しながら詳細に説明する。なお、背景技術の欄に示した受信システムと同一の構成要素には、背景技術の欄で使用した符号と同一の符号を付して説明する。
【００２１】
実施の形態１．
本発明の実施の形態１に係る電源分離型ブースタは、電源重畳パルス変調方式を採用したホーム用電源分離型リモート制御機能付ブースタである。図１は、実施の形態１に係る電源分離型ブースタが適用された受信システムの構成を示している。
【００２２】
この受信システムに適用された電源分離型ブースタは、主に屋根に設置されたアンテナの近傍に取り付けられる増幅部１１と、屋内に取り付けられる電源部１２とから構成されており、増幅部１１と電源部１２との間は、ケーブル３によって接続されている。ケーブル３および以下で説明する各ケーブルとしては、例えば同軸ケーブルが使用される。
【００２３】
増幅部１１は、ＶＨＦアンテナ４、ＵＨＦアンテナ５およびＢＳ・１１０°ＣＳアンテナ６で電波を受信することにより発生された微弱な信号を増幅し、受信信号としてケーブル３を介して電源部１２に送る。この増幅部１１における減衰量の設定および利得の調整は、屋内に取り付けられた電源部１２からのリモートコントロールにより行われる。この増幅部１１の詳細は後述する。
【００２４】
電源部１２は、ケーブル３を電源送電ラインとして利用して、増幅部１１に直流電源を供給するとともに、増幅部１１から送られてきた受信信号を中継し、ケーブル７を用いて分配器８に送る。また、電源部１２は、増幅部１１における減衰量および利得を調整するための制御信号を直流電源に重畳させて増幅部１１に送ることにより、リモートコントロールによって増幅部１１における減衰量および利得を調整できるようになっている。この電源部１２の詳細は後述する。
【００２５】
図２は、実施の形態１に係る電源分離型ブースタの回路構成を示すブロック図を示しており、この電源分離型ブースタは、大きく分けると、増幅部１１と電源部１２とから構成されている。
【００２６】
まず、増幅部１１の詳細を説明する。増幅部１１は、ＢＳ・１１０°ＣＳアンテナ６が接続されるＣＳ・ＢＳ端子２１、ＵＨＦアンテナ５またはＵＨＦアンテナ５からの信号とＶＨＦアンテナ４からの信号とを混合する図示しない混合器（以下、「ＵＶ混合器」という）が接続されるＵＨＦ／ＵＨＦ・ＶＨＦ端子２２、ＶＨＦアンテナ４が接続されるＶＨＦ端子２３、ならびに、電源部１２に接続される入出力端子２４を備えている。
【００２７】
電源部１２から入出力端子２４に供給される直流電源は、図示しない配線を介して、当該増幅部１１を構成するすべての能動素子に供給されるとともに、フィルタ２５、電源伝送ライン２６およびフィルタ２７を介してＣＳ・ＢＳ端子２１からＢＳ・１１０°ＣＳアンテナ６に供給される。電源送電ライン２６の途中には開閉スイッチ２８が設けられており、ＢＳ・１１０°ＣＳアンテナ６に対して直流電源を供給するかどうかを制御できるようになっている。
【００２８】
ＢＳ・１１０°ＣＳアンテナ６からＣＳ・ＢＳ端子２１に送られてきた信号はフィルタ３１に送られ、このフィルタ３１において、ＢＳ・ＣＳ周波数帯域の信号が抽出され、減衰器（ＡＴＴ）３２に送られる。減衰器３２は、フィルタ３１から送られてきた信号を、リモコン制御信号受信用マイクロコンピュータ（以下、「受信用マイコン」と略する）７５から設定された減衰量に応じて減衰させ、アンプ（ＡＭＰ）３３に送る。受信用マイコン７５は、本発明の受信制御部に対応する。アンプ３３は、減衰器３２から送られてきた信号を増幅して利得制御器（ＧＣ）３４に送る。利得制御器３４は、アンプ３３から送られてきた信号の利得を、Ｄ／Ａ変換器７６から送られてくる信号に応じて調整し、アンプ（ＡＭＰ）３５に送る。アンプ３５は、利得制御器３４から送られてきた信号を増幅し、フィルタ３６を介して入出力端子２４に送る。これにより、ＢＳ・１１０°ＣＳアンテナ６で受信された信号が増幅され、入出力端子２４からケーブル３を介して電源部１２に送られる。
【００２９】
ＵＨＦアンテナ５からＵＨＦ／ＵＨＦ・ＶＨＦ端子２２に送られてきた信号はフィルタ４１に送られ、このフィルタ４１において、ＵＨＦ周波数帯域の信号が抽出され、減衰器（ＡＴＴ）４２に送られる。減衰器４２は、フィルタ４１から送られてきた信号を、受信用マイコン７５から設定された減衰量に応じて減衰させ、アンプ（ＡＭＰ）４３に送る。アンプ４３は、減衰器４２から送られてきた信号を増幅して利得制御器（ＧＣ）４４に送る。利得制御器４４は、アンプ４３から送られてきた信号の利得を、Ｄ／Ａ変換器７６から送られてくる信号に応じて調整し、アンプ（ＡＭＰ）４５に送る。アンプ４５は、利得制御器４４から送られてきた信号を増幅し、フィルタ４６およびフィルタ４７を介して入出力端子２４に送る。これにより、ＵＨＦアンテナ５で受信された信号が増幅され、入出力端子２４からケーブル３を介して電源部１２に送られる。
【００３０】
ＶＨＦアンテナ４からＶＨＦ端子２３に送られてきた信号は、スイッチ５０を介してフィルタ５１およびフィルタ６１に送られる。フィルタ５１は、ＶＨＦ端子２３からスイッチ５０を介して送られてきたＶＨＦ（Ｈｉｇｈ）周波数帯域の信号を抽出し、減衰器（ＡＴＴ）５２に送る。減衰器５２は、フィルタ５１から送られてきた信号を、受信用マイコン７５から設定された減衰量に応じて減衰させ、アンプ（ＡＭＰ）５３に送る。アンプ５３は、減衰器５２から送られてきた信号を増幅して利得制御器（ＧＣ）５４に送る。利得制御器５４は、アンプ５３から送られてきた信号の利得を、Ｄ／Ａ変換器７６から送られてくる信号に応じて調整し、アンプ（ＡＭＰ）５５に送る。アンプ５５は、利得制御器５４から送られてきた信号を増幅し、フィルタ５６、フィルタ５７およびフィルタ４７を介して入出力端子２４に送る。これにより、ＶＨＦアンテナ４で受信されたＶＨＦ（Ｈｉｇｈ）周波数帯域の信号が増幅され、入出力端子２４からケーブル３を介して電源部１２に送られる。
【００３１】
また、フィルタ６１は、ＶＨＦ端子２３からスイッチ５０を介して送られてきたＶＨＦ（Ｌｏｗ）周波数帯域の信号を抽出し、減衰器（ＡＴＴ）６２に送る。減衰器６２は、フィルタ６１から送られてきた信号を、受信用マイコン７５から設定された減衰量に応じて減衰させ、アンプ（ＡＭＰ）６３に送る。アンプ６３は、減衰器６２から送られてきた信号を増幅して利得制御器（ＧＣ）６４に送る。利得制御器６４は、アンプ６３から送られてきた信号の利得を、Ｄ／Ａ変換器７６から送られてくる信号に応じて調整し、アンプ（ＡＭＰ）６５に送る。アンプ６５は、利得制御器６４から送られてきた信号を増幅し、フィルタ６６、フィルタ５７およびフィルタ４７を介して入出力端子２４に送る。これにより、ＶＨＦアンテナ４で受信されたＶＨＦ（Ｌｏｗ）周波数帯域の信号が増幅され、入出力端子２４からケーブル３を介して電源部１２に送られる。
【００３２】
なお、ＵＨＦ／ＵＨＦ・ＶＨＦ端子２２にＵＶ混合器が接続される場合は、スイッチ５０はフィルタ４０側に接続される。この場合、ＶＨＦアンテナ４およびＵＨＦアンテナ５からＵＶ混合器を介してＵＨＦ／ＵＨＦ・ＶＨＦ端子２２に送られてきた信号はフィルタ４０に送られ、このフィルタ４０において、ＶＨＦ周波数帯域の信号が抽出され、フィルタ５１およびフィルタ６１に送られる。以降の動作は、上述した通りである。
【００３３】
また、電源部１２から入出力端子２４に供給される直流電源は、フィルタ２５を介してレギュレータ７１および信号検出器７２に供給される。レギュレータ７１は、入力された直流電源を平滑および定電圧化し、受信用マイコン７５の電源として、該受信用マイコン７５に送る。
【００３４】
信号検出器７２は、フィルタ２５から送られてくる直流電源に重畳されている制御信号を抽出し、アンプ７３に送る。アンプ７３は、信号検出器７２から送られてきた制御信号を増幅し、波形整形回路７４に送る。波形整形回路７４は、アンプ７３から送られてきた制御信号の波形を整形し、受信用マイコン７５に送る。
【００３５】
受信用マイコン７５は、波形整形回路７４から送られてきた制御信号を解析し、この制御信号に含まれる減衰量を抽出して減衰器３２、４２、５２および６２に設定する。また、受信用マイコン７５は、波形整形回路７４から送られてきた制御信号を解析し、この制御信号に含まれる利得の調整量を抽出してＤ／Ａ変換器７６に送る。Ｄ／Ａ変換器７６は、受信用マイコン７５から送られてくる利得の調整量を示すデジタル信号をアナログ信号に変換し、利得制御器３４、４４、５４および６４に送る。
【００３６】
次に、電源部１２の詳細を説明する。電源部１２は、電源コンセント８１から供給される商用交流電源ＡＣ１００Ｖから、例えばＤＣ１５Ｖの直流電源を生成する直流電源部８２を備えている。この直流電源部８２で生成された直流電源は、設定用スイッチ（ＳＷ）８３を介して操作部１３に供給されるとともに、変調部８５に供給される。
【００３７】
操作部１３は、レギュレータ９０、減衰量を設定するための操作子９１〜９４、利得を制御するための操作子９５〜９８および送信リモコン制御信号用マイクロコンピュータ（以下、「送信用マイコン」と略する）を備えている。送信用マイコン９９は、本発明の送信制御部に対応する。レギュレータ９０は、直流電源部８２から設定用スイッチ８３を介して送られてくる直流電源を平滑および定電圧化し、操作子９１〜９８に送るとともに、送信用マイコン９９の電源として、該送信用マイコン９９に送る。
【００３８】
減衰量を設定するための操作子９１〜９４の各々は、例えば減衰量を０ｄＢにするか−１０ｄＢにするかを切り換える切り換えスイッチから構成されており、各切り換えスイッチの設定状態は送信用マイコン９９に送られる。操作子９１は、ＶＨＦ（Ｌｏｗ）周波数帯域の信号の減衰量を設定するために使用され、操作子９２は、ＶＨＦ（Ｈｉｇｈ）周波数帯域の信号の減衰量を設定するために使用され、操作子９３は、ＵＨＦ周波数帯域の信号の減衰量を設定するために使用され、操作子９４は、ＣＳ・ＢＳ周波数帯域の信号の減衰量を設定するために使用される。
【００３９】
利得を制御するための操作子９５〜９８の各々は、利得の制御量を指示するボリュームから構成されており、各ボリュームの設定状態は、送信用マイコン９９に送られる。操作子９５は、ＶＨＦ（Ｌｏｗ）周波数帯域の信号の利得の制御量を指示するために使用され、操作子９６は、ＶＨＦ（Ｈｉｇｈ）周波数帯域の信号の利得の制御量を指示するために使用され、操作子９７は、ＵＨＦ周波数帯域の信号の利得の制御量を指示するために使用され、操作子９８は、ＣＳ・ＢＳ周波数帯域の信号の利得の制御量を指示するために使用される。
【００４０】
送信用マイコン９９は、操作子９１〜９４から送られてきた切り換えスイッチの設定状態および操作子９５〜９８から送られてきたボリュームの設定状態に基づき、減衰器３２、４２、５２および６２に設定する減衰量、ならびに、利得制御器３４、４４、５４および６４の利得の制御量を算出して調歩同期式の制御信号（パルス）を生成し、変調部８５に送る。なお、増幅部１１と電源部１２との間の通信は、調歩同期式シリアル通信によって行われる。
【００４１】
変調部８５は、直流電源部８２から送られてくる直流電源に、操作部１３の送信用マイコン９９から送られてくる制御信号にしたがったパルス変調を施すことにより、直流電源に制御信号を重畳させる。変調部８５において制御信号が重畳された直流電源は、フィルタ８６を介して入出力端子８７に送られ、この入出力端子８７からケーブル３を介して増幅部１１の入出力端子２４に送られる。
【００４２】
また、入出力端子８７は、増幅部１１からケーブル３を介して送られてくる受信信号を受け取る。この入出力端子８７で受け取られた受信信号は、コンデンサＣで直流成分が除去されて、本来の高周波成分のみを含む受信信号が出力端子８８から出力される。この出力端子８８から出力された受信信号は、図１に示すように、ケーブル７を介して分配器８に送られ、この分配器８で分配されて、ケーブル９を介してＴＶコンセント１０に送られる。
【００４３】
以上のように構成される実施の形態１に係る電源分離型ブースタは、以下のように動作する。まず、電源部１２の設定用スイッチ８３がオンにされると、操作部１３が動作可能状態になる。この状態で、操作子９１〜９８が操作されると、その操作により設定された設定状態を表す信号が送信用マイコン９９に入力される。送信用マイコン９９は、入力された信号に基づき調歩同期式の制御信号（パルス）を生成して変調部８５に送る。これにより、直流電源に制御信号が重畳されて、入出力端子８７からケーブル３を介して増幅部１１の入出力端子２４に送られる。
【００４４】
増幅部１１においては、入出力端子２４に入力された、制御信号が重畳された（パルス変調された）直流電源は、フィルタ２５を介して信号検出器７２に送られる。そして、この信号検出器７２で検出された制御信号は、波形整形回路７４で波形整形され、受信用マイコン７５に送られる。受信用マイコン７５は、シリアル化されたパルス信号を受信し、その受信した信号を表すデータが、内部メモリ（図示しない）に記憶されているデータと異なれば、内部メモリに記憶されているデータを書き換え、この書き換えたデータに対応する信号を出力する。このように、受信用マイコン７５の内部メモリに、電源部１２から受信したデータを記憶しているので、例えば停電などの障害が起こったとしても、簡単に、障害発生前の状態で復旧できる。
【００４５】
受信用マイコン７５から出力された一方の信号は、減衰器３２、４２、５２および６２に送られる。減衰器３２、４２、５２および６２の各々は、受信用マイコン７５から送られてくる信号のレベルの高低によって、減衰量を例えば０ｄＢにするか−１０ｄＢに設定する。
【００４６】
また、受信用マイコン７５から出力された他方の信号は、Ｄ／Ａ変換器７６でアナログ信号に変換された後に、利得制御器３４、４４、５４および６４に送られる。利得制御器３４、４４、５４および６４の各々は、Ｄ／Ａ変換器７６から送られてくる信号のレベルに応じて、利得の制御量を変化させる。より具体的には、ＰＩＮダイオードに加える電圧および電流を制御し、減衰量を調整している。
【００４７】
以上の動作が終了すると、電源部１２の設定用スイッチ８３がオフにされる。これにより、操作部１３の動作が終了し、以降は、増幅部１１には、電源部１２からケーブル３を介して直流電源のみが供給される。
【００４８】
以上説明したように、この発明の実施の形態１に係る電源分離型ブースタによれば、図１に示すように、屋内に設置される電源部１２に減衰量や利得を制御するための操作部１３を設け、増幅部１１に供給する直流電源に制御信号を重畳させて該増幅部１１に送り、増幅部１１における減衰量および利得を調整するように構成したので、リモートコントロールにより減衰量および利得の調整が可能になる。したがって、減衰量および利得の調整および確認を屋内で行うことができるため、複数人での作業や屋根と屋内を行き来するなどの作業が不要になり、作業効率が向上する。
【００４９】
なお、上述した実施の形態１に係る電源分離型ブースタの電源部１２は、分配器８の上流側に接続するように構成したが、図３に示すように、分配器８の下流側、例えばＴＶコンセント１０に接続するように構成することができる。この場合、分配器８としては、電通型の分配器が使用され、電源部１２で生成された、制御信号が重畳された直流電源は、ＴＶコンセント１０、ケーブル９、分配器８およびケーブル３を経由して増幅部１１に供給される。
【００５０】
実施の形態２．
本発明の実施の形態２に係る電源分離型ブースタは、高周波（ＲＦ）パルス変調方式を採用したホーム用電源分離型リモート制御機能付ブースタである。図４は、実施の形態２に係る電源分離型ブースタが適用された受信システムの構成を示している。
【００５１】
この受信システムに適用された電源分離型ブースタは、主に屋根に設置されたアンテナの近傍に取り付けられる増幅部１１ａ、屋内に取り付けられる電源部１２ａ、およびリモコン操作部１３ａとから構成されており、リモコン操作部１３ａは、増幅部１１ａより下流側であって、当該リモコン操作部１３ａで発生した高周波信号が通過可能な位置、例えば部屋内のＴＶコンセント１０に接続される。増幅部１１ａと電源部１２ａとの間は、ケーブル３によって接続され、電源部１２ａとリモコン操作部１３ａとの間は、ケーブル７、分配器８、ケーブル９およびＴＶコンセント１０を介して接続される。
【００５２】
増幅部１１ａは、ＶＨＦアンテナ４、ＵＨＦアンテナ５およびＢＳ・１１０°ＣＳアンテナ６で電波を受信することにより発生された微弱な信号を増幅し、受信信号としてケーブル３を介して電源部１２ａに送る。この増幅部１１ａにおける減衰量の設定および利得の調整は、屋内に取り付けられたリモコン操作部１３ａからのリモートコントロールにより行われる。この増幅部１１ａの詳細は後述する。
【００５３】
電源部１２ａは、ケーブル３を電源送電ラインとして利用して、増幅部１１ａに直流電源を供給するとともに、増幅部１１ａから送られてきた受信信号を中継し、ケーブル７を介して分配器８に送る。この電源部１２ａの詳細は後述する。
【００５４】
リモコン操作部１３ａは、増幅部１１ａにおける減衰量および利得を調整するための制御信号を高周波信号（ＲＦ信号）に重畳させ、ＴＶコンセント１０、ケーブル９、分配器８、ケーブル７、電源部１２ａおよびケーブル３を経由して増幅部１１ａに送る。これにより、リモコン操作部１３ａからのリモートコントロールにより増幅部１１ａにおける減衰量および利得を調整できるようになっている。このリモコン操作部１３ａの詳細は後述する。
【００５５】
図５は、実施の形態２に係る電源分離型ブースタの回路構成を示すブロック図を示しており、この電源分離型ブースタは、大きく分けると、増幅部１１ａ、電源部１２ａおよびリモコン操作部１３ａから構成されている。
【００５６】
まず、増幅部１１ａの詳細を説明する。増幅部１１ａは、実施の形態１に係る電源分離型ブースタの増幅部１１から信号検出器７２、アンプ７３および波形整形回路７４が除去され、これらの代わりに、フィルタ１０１、ＡＧＣ回路１０２、信号検出器１０３およびアンプ（ＡＭＰ）１０４が追加されて構成されている。以下では、実施の形態１に係る電源分離型ブースタの増幅部１１と同一の構成要素には、実施の形態１で使用した符号と同一の符号を付して説明を省略し、相違する部分を中心に説明する。
【００５７】
フィルタ１０１は、入出力端子２４からフィルタ４７およびフィルタ５７を経由して送られてくる、制御信号が重畳された高周波信号をフィルタリングし、ＡＧＣ回路１０２に送る。ＡＧＣ回路１０２は、フィルタ１０１から送られてくる高周波信号の利得を、次段の信号検出器１０３で検出可能なレベルに調整し、該信号検出器１０３に送る。信号検出器１０３は、ＡＧＣ回路１０２から送られてくる高周波信号から制御信号のみを抽出し、アンプ１０４に送る。アンプ１０４は、信号検出器１０３から送られてくる制御信号を増幅し、受信用マイコン７５に送る。
【００５８】
次に、電源部１２ａの詳細を説明する。電源部１２ａは、実施の形態１に係る電源分離型ブースタの電源部１２から、操作部１３および変調部８５が除去されて構成されている。直流電源部８２から出力される直流電源は、フィルタ８６を介して入出力端子８７に送られ、この入出力端子８７からケーブル３を介して増幅部１１ａに送られる。
【００５９】
次に、リモコン操作部１３ａの詳細を説明する。リモコン操作部１３ａは、電源１１１、スイッチ１１２、高周波発振部（ＲＦ発振部）１１３、変調部１１４、フィルタ１１５、送信端子１１６、フィルタ１１７、出力端子１１８、操作子９１〜９８および送信用マイコン９９を備えている。操作子９１〜９８および送信用マイコン９９は、実施の形態１に係る電源分離型ブースタの電源部１２の操作部１３に含まれるそれらと同じである。
【００６０】
電源１１１は、このリモコン操作部１３ａで使用する直流電源を発生し、スイッチ１１２を介して高周波発振部１１３、操作子９１〜９８、送信用マイコン９９およびその他の能動素子に供給する。
【００６１】
高周波発振部１１３は、キャリアとして使用される高周波信号を発生し、変調部１１４に送る。変調部１１４は、高周波発振部１１３から送られてくる高周波信号に、送信用マイコン９９から送られてくる制御信号に応じたパルス変調を施すことにより、高周波信号に制御信号を重畳させる。変調部１１４において制御信号が重畳された高周波信号は、フィルタ１１５を介して送信端子１１６に送られ、この送信端子１１６から、ＴＶコンセント１０、ケーブル９、分配器８、ケーブル７、電源部１２ａおよびケーブル３を介して増幅部１１ａに送られる。また、フィルタ１１５を通過した信号は、フィルタ１１７で阻止され、出力端子１１８から出力されない。ただし、送信端子１１６から入力された受信信号は、フィルタ１１７を介して出力端子１１８から出力される。
【００６２】
以上のように構成される実施の形態２に係る電源分離型ブースタは、以下のように動作する。まず、リモコン操作部１３ａのスイッチ１１２がオンにされると、リモコン操作部１３ａが動作可能状態になる。この状態で、操作子９１〜９８を操作されると、その操作により設定された設定状態を表す信号が送信用マイコン９９に入力される。送信用マイコン９９は、入力された信号に基づき調歩同期式の制御信号（パルス）を生成して変調部１１４に送る。
【００６３】
一方、高周波発振部１１３は、スイッチ１１２がオンされることにより発振を開始し、高周波信号を生成して変調部１１４に送る。これにより、変調部１１４において、高周波信号に制御信号が重畳されて、送信端子１１６からＴＶコンセント１０、ケーブル９、分配器８、ケーブル７、電源部１２ａおよびケーブル３を介して増幅部１１ａに送られる。
【００６４】
増幅部１１ａにおいては、入出力端子２４に入力された、制御信号が重畳された（パルス変調された）高周波信号は、フィルタ４７、フィルタ５７およびフィルタ１０１を介してＡＧＣ回路１０２に送られ、このＡＧＣ回路１０２で利得調整されて信号検出器１０３に送られる。そして、この信号検出器１０３で検出された制御信号は、アンプ１０４で増幅されて、受信用マイコン７５に送られる。以降の動作は、上述した実施の形態１に係る電源分離型ブースタの動作と同じである。以上のようにして減衰量および利得の設定が終了すると、リモコン操作部１３ａが、ＴＶコンセント１０から取り外される。
【００６５】
以上説明したように、この発明の実施の形態２に係る電源分離型ブースタによれば、図４に示すように、電源部１２ａとは別体に、屋内のＴＶコンセントに接続可能なリモコン操作部１３ａを設け、このリモコン操作部１３ａの操作に応じて発生された制御信号を高周波信号に重畳させて増幅部１１ａに送り、増幅部１１ａにおける減衰量および利得を調整するように構成したので、増幅部１１ａより下流側で高周波信号が通過可能な場所であればどこからでもリモートコントロールにより減衰量および利得の調整が可能になる。したがって、減衰量および利得の調整および確認を屋内で行うことができるため、複数人での作業や屋根と屋内を行き来するなどの作業が不要になり、作業効率が向上する。
【００６６】
なお、上述した実施の形態２に係る電源分離型ブースタの電源部１２ａは、分配器８の上流側に接続するように構成したが、図６に示すように、分配器８の下流側、例えばＴＶコンセント１０に接続するように構成することもできる。この場合、分配器８としては電通型が使用される。また、リモコン操作部１３ａで生成された、制御信号が重畳された高周波信号は、ＴＶコンセント１０、ケーブル９、分配器８およびケーブル３を経由して増幅部１１ａに供給される。
【００６７】
実施の形態３．
本発明の実施の形態３に係る電源分離型ブースタは、上述した実施の形態２に係る電源分離型ブースタと同様のＲＦパルス変調方式を採用したホーム用電源分離型リモート制御機能付ブースタであって、複数台の増幅部の減衰量および利得を調整可能にしたものである。図７に示すように受信点が離れている場合や、図８に示すように集合住宅などで複数台のブースタを使用する場合の受信システムに適用される。
【００６８】
図７に示す受信システムに適用された電源分離型ブースタは、離れた受信点に設置されたアンテナの近傍に取り付けられる増幅部Ａ、屋内に取り付けられた増幅部Ａ用の電源部１２ａ、屋内の電源部１２ａと分配器８との間に取り付けられた増幅部Ｂ、および、リモコン操作部１３ｂとから構成されており、リモコン操作部１３ｂは、増幅部Ｂより下流側であって、当該リモコン操作部１３ｂで発生した高周波信号が通過可能な位置、例えば部屋内のＴＶコンセント１０に接続される。増幅部Ａと電源部１２ａとの間は、ケーブル３によって接続され、電源部１２ａと増幅部Ｂとの間はケーブル７ａによって接続され、増幅部Ｂとリモコン操作部１３ｂとの間は、ケーブル７ｂ、分配器８、ケーブル９およびＴＶコンセント１０を介して接続されている。
【００６９】
増幅部Ａは、ＶＨＦアンテナ４、ＵＨＦアンテナ５およびＢＳ・１１０°ＣＳアンテナ６で電波を受信することにより発生された微弱な信号を増幅し、受信信号としてケーブル３を介して電源部１２ａに送る。
【００７０】
増幅部Ｂは、増幅部Ａから電源部１２ａおよびケーブル７ａを介して送られてくる受信信号をさらに増幅し、ケーブル７ｂを介して分配器８に送る。これら増幅部Ａおよび増幅部Ｂにおける減衰量の設定および利得の調整は、屋内に取り付けられたリモコン操作部１３ｂからのリモートコントロールにより行われる。この増幅部Ａおよび増幅部Ｂの詳細は後述する。
【００７１】
電源部１２ａは、ケーブル３を電源送電ラインとして利用して、増幅部Ａに直流電源を供給するとともに、増幅部Ａから送られてきた受信信号を中継し、ケーブル７ａを用いて増幅部Ｂに送る。この電源部１２ａは、実施の形態２に係る電源分離型ブースタのそれと同じであるので、詳細な説明は省略する。
【００７２】
リモコン操作部１３ｂは、増幅部Ａおよび増幅部Ｂにおける減衰量および利得を調整するための制御信号を高周波信号（ＲＦ信号）に重畳させ、ＴＶコンセント１０、ケーブル９、分配器８およびケーブル７ｂを用いて増幅部Ｂに送るとともに、さらに、ケーブル７ａ、電源部１２ａおよびケーブル３を介して増幅部Ａに送る。これにより、リモコン操作部１３ｂからのリモートコントロールにより増幅部Ａおよび増幅部Ｂにおける減衰量および利得を調整できるようになっている。このリモコン操作部１３ｂの詳細は後述する。
【００７３】
図９は、実施の形態３に係る電源分離型ブースタの回路構成を示すブロック図を示しており、この電源分離型ブースタは、大きく分けると、増幅部Ａ、増幅部Ｂ、電源部１２ａおよびリモコン操作部１３ｂから構成されている。
【００７４】
まず、増幅部Ａの詳細を説明する。増幅部Ａは、実施の形態２に係る電源分離型ブースタの増幅部１１ａに、アドレス設定部１２１が追加されて構成されている。以下では、実施の形態２に係る電源分離型ブースタの増幅部１１ａと同一の構成要素には、実施の形態２で使用した符号と同一の符号を付して説明を省略し、相違する部分を中心に説明する。
【００７５】
アドレス設定部１２１は、本発明のアドレス保持部に対応し、自己に付与されたアドレスを記憶する。このアドレス設定部１２１に記憶されているアドレスは、受信用マイコン７５によって読み出される。
【００７６】
次に、増幅部Ｂの詳細を説明する。増幅部Ｂは、上述した増幅部Ａからフィルタ２５が除去されるとともに、電源１２４、フィルタ１２５、スイッチ１２６およびフィルタ１２７が追加されて構成されている。また、増幅部Ａから送られてくるＣＳ・ＢＳ周波数帯域の信号、または、ＣＳ・ＢＳ周波数帯域、ＵＨＦ周波数帯域およびＶＨＦ周波数帯域の各信号が混合された信号を入力する端子１２８、ならびに、ＵＨＦ周波数帯域の信号およびＶＨＦ周波数帯域の信号が混合された信号を入力する端子１２９を備えている。
【００７７】
この増幅部Ｂは、自己の内部に保持している電源１２４から供給される直流電源によって動作する。端子１２８にＣＳ・ＢＳ周波数帯域、ＵＨＦ周波数帯域およびＶＨＦ周波数帯域の各信号が混合された信号が入力される受信システムの場合は、スイッチ１２６は、フィルタ１２５側に接続される。フィルタ１２５は、端子１２８から入力された信号からＵＨＦ周波数帯域の信号およびＶＨＦ周波数帯域の信号を抽出し、フィルタ４１およびフィルタ１２７に送る。フィルタ１２７は、フィルタ１２５からスイッチ１２６を介して送られてくる信号からＶＨＦ周波数帯域の信号のみを抽出し、フィルタ５１およびフィルタ６１に送る。
【００７８】
端子１２９にＵＨＦ周波数帯域の信号およびＶＨＦ周波数帯域の信号が混合された信号が入力される受信システムの場合は、スイッチ１２６は、端子１２９側に接続される。フィルタ１２７は、端子１２９からスイッチ１２６を介して送られてくる信号からＶＨＦ周波数帯域の信号のみを抽出し、フィルタ５１およびフィルタ６１に送る。
【００７９】
次に、リモコン操作部１３ｂの詳細を説明する。リモコン操作部１３ｂは、実施の形態２に係る電源分離型ブースタのリモコン操作部１３ａにアドレス設定部１３１が追加されて構成されている。アドレス設定部１３１は、調整対象とする増幅部（増幅部Ａまたは増幅部Ｂ）のアドレスを設定するために使用される。このアドレス設定部１３１で設定されたアドレスは、送信用マイコン９９に送られる。
【００８０】
送信用マイコン９９は、アドレス設定部１３１から送られてきたアドレスと、操作子９１〜９４から送られてきた切り換えスイッチの状態および操作子９５〜９８から送られてきたボリュームの設定状態とに基づき、調歩同期式の制御信号（パルス）を生成し、変調部１１４に送る。
【００８１】
以上のように構成される実施の形態３に係る電源分離型ブースタは、以下のように動作する。まず、増幅部Ａのアドレス設定部１２１にアドレス（例えば「１」）が設定される。同様に、増幅部Ｂのアドレス設定部１２１にアドレス（例えば「２」）が設定される。その後、リモコン操作部１３ｂのアドレス設定部１３１を操作して調整対象とする増幅部のアドレスが設定される。
【００８２】
以上の設定操作が完了して、リモコン操作部１３ｂのスイッチ１１２がオンにされると、リモコン操作部１３ｂが動作可能状態になる。この状態で、操作子９１〜９８を操作されると、その操作により設定された設定状態を表す信号が送信用マイコン９９に入力される。送信用マイコン９９は、アドレス設定部１３１から入力されたアドレスと、操作子９１〜９８から入力された信号に基づき調歩同期式の制御信号（パルス）を生成して変調部１１４に送る。
【００８３】
一方、高周波発振部１１３は、スイッチ１１２がオンされることにより発振を開始し、高周波信号を生成して変調部１１４に送る。これにより、変調部１１４において、高周波信号に制御信号が重畳されて、送信端子１１６からＴＶコンセント１０、ケーブル９、分配器８およびケーブル７ｂを介して増幅部Ｂに送られるとともに、さらに、ケーブル７ａ、電源部１２ａおよびケーブル３を介して増幅部Ａに送られる。
【００８４】
増幅部Ａおよび増幅部Ｂにおいては、端子２４に入力された、制御信号が重畳された（パルス変調された）高周波信号は、フィルタ４７、フィルタ５７およびフィルタ１０１を介してＡＧＣ回路１０２に送られ、このＡＧＣ回路１０２で利得調整されて信号検出器１０３に送られる。そして、この信号検出器１０３で抽出された制御信号は、アンプ１０４で増幅されて、受信用マイコン７５に送られる。
【００８５】
受信用マイコン７５は、アンプ１０４から送られてきた制御信号に含まれるアドレスが、アドレス設定部１２１に設定されているアドレスと一致する場合は、以降は、上述した実施の形態１に係る電源分離型ブースタの受信用マイコン７５と同様に動作する。したがって、増幅部Ａまたは増幅部Ｂのいずれか一方の受信用マイコン７５が動作し、減衰量および利得の設定が行われる。以上のようにして減衰量および利得の設定が終了すると、リモコン操作部１３ｂが、ＴＶコンセント１０から取り外される。
【００８６】
以上説明したように、この発明の実施の形態３に係る電源分離型ブースタによれば、図７に示すように、電源部１２ａとは別体に、屋内のＴＶコンセントに接続可能なリモコン操作部１３ｂを設け、このリモコン操作部１３ｂの操作に応じて発生された制御信号を高周波信号に重畳させて増幅部Ａおよび増幅部Ｂに送り、増幅部Ａまたは増幅部Ｂにおける減衰量および利得を調整するように構成したので、増幅部Ｂより下流側で高周波信号が通過可能な場所であればどこからでもリモートコントロールにより任意の増幅部の減衰量および利得の調整が可能になる。したがって、減衰量および利得の調整および確認を屋内で行うことができるため、複数人での作業や屋根と屋内を行き来するなどの作業が不要になり、作業効率が向上する。
【００８７】
なお、上述した実施の形態３では、複数台の増幅部を備えた電源分離型ブースタが、図７に示すような、受信点が離れている受信システムに適用された場合について説明したが、図８に示すような、集合住宅の受信システムにも適用することができる。
【図面の簡単な説明】
【００８８】
【図１】本発明の実施の形態１に係る電源分離型ブースタが適用された受信システムの構成を示す図である。
【図２】本発明の実施の形態１に係る電源分離型ブースタの回路構成を示すブロック図である。
【図３】本発明の実施の形態１に係る電源分離型ブースタが適用された他の受信システムの構成を示す図である。
【図４】本発明の実施の形態２に係る電源分離型ブースタが適用された受信システムの構成を示す図である。
【図５】本発明の実施の形態２に係る電源分離型ブースタの回路構成を示すブロック図である。
【図６】本発明の実施の形態２に係る電源分離型ブースタが適用された他の受信システムの構成を示す図である。
【図７】本発明の実施の形態３に係る電源分離型ブースタが適用された受信システムの構成を示す図である。
【図８】本発明の実施の形態３に係る電源分離型ブースタが適用された受信システムの構成を示す図である。
【図９】本発明の実施の形態３に係る電源分離型ブースタの回路構成を示すブロック図である。
【図１０】従来の電源分離型ブースタが適用された受信システムの構成を示す図である。
【図１１】従来の電源分離型ブースタが適用された他の受信システムの構成を示す図である。
【符号の説明】
【００８９】
１１、１１ａ  増幅部
１２、１２ａ  電源部
１３  操作部
１３ａ  リモコン操作部
３  ケーブル
３２、４２、５２、６２  減衰器
３５、４５、５５、６５  利得制御器
７２、１０３  信号検出器
７５  受信用マイコン（受信制御部）
８２  直流電源部
８５  変調部
９１〜９８  操作子
９９  送信用マイコン（送信制御部）
１１３  高周波発振部
１２１、１３１  アドレス設定部
【図１】
2008099128.tif 000003
【図２】
2008099128.tif 000004
【図３】
2008099128.tif 000005
【図４】
2008099128.tif 000006
【図５】
2008099128.tif 000007
【図６】
2008099128.tif 000008
【図７】
2008099128.tif 000009
【図８】
2008099128.tif 000010
【図９】
2008099128.tif 000011
【図１０】
2008099128.tif 000012
【図１１】
2008099128.tif 000013